(57)【要約】【課題】連続ドリップ式及び間欠ドリップ式を切り替えて行うことができるコーヒーメーカを提供すること。【解決手段】前記貯湯タンクに供給する水を加熱する加熱手段と、前記貯湯タンクの下流側に設けられる散水部材と、前記貯湯タンク内に設けられ前記貯湯タンク内のお湯が所定量になると前記貯湯タンク内のお湯を前記散水部材側へ供給するサイホン機構を有するコーヒーメーカであって、前記貯湯タンクの底部に間欠ドリップ時に閉じ、連続ドリップ時に開放する切替弁を設けるコーヒーメーカ。【選択図】図４
2009160288.tif 000002
【特許請求の範囲】
【請求項１】
貯湯タンクと、前記貯湯タンクに供給する水を加熱する加熱手段と、前記貯湯タンクの下流側に設けられる散水部材と、前記貯湯タンク内に設けられ前記貯湯タンク内のお湯が所定量になると前記貯湯タンク内のお湯を前記散水部材側へ供給するサイホン機構を有するコーヒーメーカであって、
前記貯湯タンクの底部に間欠ドリップ時に閉じ、連続ドリップ時に開放する切替弁を設けることを特徴とするコーヒーメーカ。
【請求項２】
前記散水部材を回動自在にするとともに、前記散水部材に切替レバー及び切替弁駆動部材を設け、前記切替レバーにより前記散水部材を回動することにより前記切替弁を開閉することを特徴とする請求項１に記載のコーヒーメーカ。
【請求項３】
前記切替弁駆動部材は凸部であり、連続ドリップ時に前記切替弁を押し上げて開放することを特徴とする請求項２に記載のコーヒーメーカ。
【請求項４】
前記散水部材は取り外し可能であることを特徴とする請求項１ないし３のいずれか一項に記載のコーヒーメーカ。
【発明の詳細な説明】
【技術分野】
【０００１】
本願発明は、コーヒーメーカに関し、さらに詳しくは、間欠ドリップ機能及び連続ドリップ機能を有するドリップ式コーヒーメーカに関するものである。
【背景技術】
【０００２】
コーヒーメーカは、家庭等で気楽にコーヒーを作ることができる機器として広く普及している。ドリップ式コーヒーメーカとしては、連続ドリップ式のコーヒーメーカ及び間欠ドリップ式のコーヒーメーカがあり、連続ドリップ式のコーヒーメーカは苦みや酸味が間欠ドリップ式より強く、間欠ドリップ式のコーヒーメーカは手で注ぐのと同じような効果、即ち雑味がなく、コーヒー豆本来のまろやかな味になることが知られている。
【０００３】
図７に従来の連続ドリップ式のコーヒーメーカの一例を示す。機器本体１は、載置部２、庇部３及び支柱部４を有する断面コ字状を呈する。前記載置部２上には、コーヒー粉が入れられる抽出器５を上部に配置するサーバー６が載置され、抽出器５内にお湯を供給しサーバー６内に抽出したコーヒーを回収する。また、前記支柱部４には底部に加熱手段としてのヒータ７を備えた加熱容器８が設けられ、該加熱容器８は導水パイプ９を介して前記庇部３に設けられる水タンク１０と連通する。更に、加熱容器８の上面には吐出パイプ１１が設けられ、該吐出パイプ１１の先端の吐出口１２は前記抽出器５の上部に開口され、前記吐出口１２の下部近傍には、複数個の穴１３を有する断面半円弧状の散水部材１４が設けられる。
【０００４】
そして、前記水タンク１０より導水パイプ９を介して加熱容器８内に導入された水はヒータ７により加熱され、吐出パイプ１１先端の吐出口１２より散水部材１４に設けられる複数個の穴１３より前記抽出器５の上部に連続して吐出され、抽出器５内においてコーヒーを抽出し、抽出したコーヒーをサーバー６内に貯留する（例えば、特許文献１参照）。
【０００５】
図８に従来の間欠ドリップ式のコーヒーメーカの一例を示す。なお、連続ドリップ式と同じ部材には同じ符号を付して説明する。連続ドリップ式と同様に機器本体１は、載置部２、庇部３及び支柱部４を有する断面コ字状を呈する。前記載置部２上には、コーヒー粉が入れられる抽出器５を上部に配置するサーバー６が載置され、抽出器５内にお湯を供給することによりサーバー６内に抽出したコーヒーを回収する。また、載置部２内には加熱手段７が設けられ、前記支柱部４に設けられる水タンク１０の水を加熱し、沸騰したお湯を給湯パイプ１１より貯湯タンク１５に供給する。
【０００６】
前記貯湯タンク１５内には、サイフォン機構１６が設けられる。このサイフォン機構１６はサイフォン管であり、貯湯タンク１５内のお湯が第１の高さｈ１まで達するとサイフォン現象により貯湯タンク１５内のお湯が吐出口１２より散水部材１４を有する前記抽出器５に吐出し、抽出器５内においてコーヒーを抽出し、抽出したコーヒーをサーバー６内に貯留する。貯湯タンク１５内のお湯が減少し第２の高さｈ２にまで減るとサイフォン管内に空気が入りサイフォン現象が行われなくなり、吐出口１２より散水部材１４へのお湯の供給が停止する。このような間欠動作により間欠ドリップ式が行われる（例えば、特許文献２参照）。
【０００７】
上記したように、連続ドリップ式のコーヒーメーカと間欠ドリップ式のコーヒーメーカとはそれぞれに利点を有している。また、コーヒーが好きな人の好みも多様であり、いろいろな味を楽しんでみたいと思う人も増えている。
【０００８】
上記したように従来、連続ドリップ式のコーヒーメーカ及び間欠ドリップ式のコーヒーメーカが知られており、それぞれのコーヒーメーカを用いてそれぞれの味を楽しむことができる。しかしながら、従来のコーヒーメーカはそれぞれ別々に作られているため、両者の味を家で楽しもうとする場合、それぞれのコーヒーメーカを持つ必要があり置き場所並びにコスト的に大きな負担となるという問題があった。
【特許文献１】特公昭６４−３４９３号公報
【特許文献２】特開昭５８−１４３７２２号公報
【発明の開示】
【発明が解決しようとする課題】
【０００９】
本願発明の目的は、このような問題をなくすことで、連続ドリップ式及び間欠ドリップ式を簡単に切り替えて行うことができるコーヒーメーカを提供することである。
【課題を解決するための手段】
【００１０】
上記目的を達成するため、本願発明は以下の構成を採用する。
【００１１】
本願発明は、前記貯湯タンクに供給する水を加熱する加熱手段と、前記貯湯タンクの下流側に設けられる散水部材と、前記貯湯タンク内に設けられ前記貯湯タンク内のお湯が所定量になると前記貯湯タンク内のお湯を前記散水部材側へ供給するサイホン機構を有するコーヒーメーカであって、前記貯湯タンクの底部に間欠ドリップ時に閉じ、連続ドリップ時に開放する切替弁を設ける構成。
【００１２】
請求項２に係る発明では、請求項１の構成に加え、前記散水部材を回動自在にするとともに、前記散水部材に切替レバー及び切替弁駆動部材を設け、前記切替レバーにより前記散水部材を回動することにより前記切替弁を開閉する構成。
【００１３】
請求項３に係る発明では、請求項２の構成に加え、前記切替弁駆動部材は凸部であり、連続ドリップ時に前記切替弁を押し上げて開放する構成。
【００１４】
請求項４に係る発明では、請求項１ないし３の構成に加え、前記散水部材は取り外し可能である構成。
【００１５】
そして上記した構成により、１つのコーヒーメーカにより間欠ドリップ及び連続ドリップでのコーヒーの抽出が可能になる。また、散水部材の洗浄が容易になる。
【発明の効果】
【００１６】
請求項１に係る発明では、貯湯タンクの底部に間欠ドリップ時に閉じ、連続ドリップ時に開放する切替弁を設けることにより、１つのコーヒーメーカで間欠ドリップ及び連続ドリップでのコーヒーの抽出を容易に行うことができるとともに、ユーザーにとってより多くの味を楽しむことができるようになる。また、ユーザーのコスト並びに保管負担を低減するとともに、コーヒーメーカの利便性を高めることができる。
【００１７】
請求項２に係る発明では、散水部材を回動自在にするとともに切替レバー及び切替弁駆動部材を設け、切替レバーの回動により切替弁を開閉すること、請求項３に係る発明では、切替弁駆動部材は凸部であり、連続ドリップ時に切替弁を押し上げて開放することにより、請求項１に係る発明と同様、１つのコーヒーメーカで間欠ドリップ及び連続ドリップでのコーヒーの抽出を容易に行うことができるとともに、ユーザーにとってより多くの味を楽しむことができるようになる。また、ユーザーにとってのコスト並びに保管負担を低減するとともに、コーヒーメーカの利便性を高めることができる。
【００１８】
請求項４に係る発明では、散水部材は取り外すことができることにより、請求項１ないし３に係る発明の効果に加え、散水部材を容易に洗浄することができ、コーヒーメーカの安全性並びに信頼性を高めることができる。
【実施例】
【００１９】
図１乃至図５に本願発明のコーヒーメーカを示す。図１はコーヒーメーカの全体断面図を示し、図２は散水部材の正面図を示し、図３は図１のＢ−Ｂ線からみた断面図を示し、図４は図１のＡ部拡大断面図を示し、図５は散水部材の斜視図を示す。
【００２０】
コーヒーメーカＭは、ロート状の抽出器２１が着脱自在に装着されるサーバー２２を載置する載置台２３と、載置台２３の一端から上方に延設される支柱部２４と、支柱部２４の上部において前記載置台２３の上方に向かって庇状に突出して形成される庇部２５とを有する樹脂製で、且つ断面コ字状の機器本体２０、及び前記庇部２５上に着脱自在に装着される同じく樹脂製の水タンク２７とを備えている。そして前記載置台２３の下部には、加熱手段してのヒータ２６を有する伝熱部３０が形成される。
【００２１】
前記支柱部２４は、載置台２３と庇部２５とを連結するとともに、庇部２５及び水タンク２７を支持する支柱の作用をする断面略円弧状の部材であり、その内部には液通路としての往路液通路２８及び復路液通路２９が配置される。前記庇部２５は、載置台２３の上方に向かって庇状に突出して形成され、その上面には、前記水タンク２７を着脱自在に載置するための水平な載置面２５ａ及び図示しない取水口が形成される。なお、水平な載置面２５ａの略中央部には貯湯タンク４０を取り付けるための取付開口２５ｂを有する。
【００２２】
前記機器本体２０内には、前記往路液通路２８及び復路液通路２９が上下方向に配設される。前記往路液通路２８の一端は、機器本体２０の上部において載置面２５ａに形成される図示しない取水口に連結されるとともに、その他端は、機器本体２０の下部においてヒータ２６を有する伝熱部３０に連結され、水タンク２７内の水Ｗを往路液通路２８を介して前記伝熱部３０に導き該水Ｗを加熱沸騰する。
【００２３】
また、前記復路液通路２９の一端は、機器本体２０の下部において前記伝熱部３０に連結されるとともに、その他端は、機器本体２０の上部において貯湯タンク４０に連結され、伝熱部３０で加熱沸騰された熱湯を復路液通路２９を介して貯湯タンク４０に供給し、貯湯タンク４０のお湯を散水部材５５を介して前記抽出器２１へ供給する。即ち、復路液通路２９内を流れる水は、伝熱部３０においてヒータ２６により加熱沸騰され、その際発生する水蒸気の圧力によって復路液通路２９の上方に押し上げられて貯湯タンク４０に導入される。
【００２４】
なお、復路液通路２９は、その途中位置は、水タンク２７の満水位置以上の高さにまで持ち上げられ、空気溜まり空間を形成し、該空気溜まり空間から下方に延び前記貯湯タンク４０に至る形状とされており、前記空気溜まり空間を形成することにより、コーヒーを適量作り、その加熱をオフにした場合でもサイフォン現象により水タンク２７内の残りの水が全て導出することを防止する。
【００２５】
前記サーバー２２は、透明な耐熱ガラス製からなるコップ形状の部材で、その側面には、把手２２ａが付設され、その上端開口面には、樹脂製で且つロート状の抽出器２１が着脱可能な状態で載置される。
【００２６】
抽出器２１は断面三角状の部材で、その底部には図示しない複数個の抽出口が形成され、コーヒー抽出時には内部に図示しないフィルターを介してコーヒー粉が入れられ、上部よりお湯が注がれる。また、抽出器２１の上方開口面には蓋体３１が設けられる。この蓋体３１の中央部には、供給されるお湯を均等に拡散するための複数の羽根状部材からなる拡散部材３２が形成される。
【００２７】
符号４０は貯湯タンクである。この貯湯タンク４０は、タンク上部材４１及びタンク下部材４２からなる中空状の樹脂製部材であり前記庇部２５に設けられる。前記タンク上部材４１は、下方開放のハット状の部材で、その上方側面部には復路液通路２９の吐出端部２９ａが開口し、更にその上壁面には下方開放の第１筒状部材４３が垂下する。貯湯タンク４０は、タンク下部材４２の上方にタンク上部材４１を重ねて置き、両部材のそれぞれの上下端部を超音波溶着によって固定することにより一体化される。貯湯タンク４０の保持量は約６０ｃｃである。
【００２８】
前記タンク下部材４２は、上方開放の容器状の部材であり、その底壁面には上下に貫通する第２筒状部材４４が立設し、更にその底壁面には切替弁５０が位置する連続ドリップ用の開口４５と、ドリップ終了後に貯湯タンク４０内の残りのお湯を排出するための小孔４６を有する。なお、前記小孔４６は間欠ドリップ時にも開放していることになるが、貯湯タンク４０のお湯の排出は滴状のものがポタポタ垂れる程度であり間欠ドリップに影響はない。仮にこの小孔４６がなく、前記開口４５が閉鎖状態にあるとドリップ終了後に貯湯タンク４０内に排出されなかったお湯が水になっていつまでも残ることになり、衛生的にもよくなく、使用後にコーヒーメーカを傾けた場合においては水が溢れるといった問題も生じる。
【００２９】
また、前記タンク下部材４２の上部周面には外方に水平に突き出てその後下方に垂下するＬ字状フランジ４７を外周に有し、タンク下部材４２の周面とＬ字状フランジ４７とで下方開放の係合溝４８を形成している。
【００３０】
前記開口４５には、切替弁５０が取り付けられる。切替弁５０は、Ｔ字状の弁体５０ａとばね受５０ｂとばね５０ｃとを有する。そして弁体５０ａをタンク下部材４２の上方から挿入し、その下端部にばね受５０ｂを図示しないビスにより固定するが、固定に先立ちタンク下部材４２の底面とばね受５０ｂの上面にばね５０ｃを介在させる。そのため、タンク下部材４２に切替弁５０を取り付けた後においては、弁体５０ａはばね５０ｃにより下方へ付勢され開口４５を閉鎖する。この切替弁５０はタンク上部材４１とタンク下部材４２を一体にする前に取り付けられる。
【００３１】
タンク上部材４１とタンク下部材４２を超音波溶着によって一体にすると、タンク上部材４１の第１筒状部材４３がタンク下部材４２の第２筒状部材４４に嵌合し、両部材４３、４４で内部にサイホン室５１を有するサイホン機構Ｓを形成する。このサイホン機構Ｓは、復路液通路２９の吐出端部２９ａより貯湯タンク４０内にお湯が供給されると、お湯は貯湯タンク４０内に貯留され、徐々にサイホン室５１に充満する。サイホン室５１にお湯が充満する図４で示す第１位置ｈ１になると、お湯はサイホン室５１を充満する。すると、サイホン現象により貯湯タンク４０のお湯は、第２筒状部材４４を通って排出され、その排出は貯湯タンク４０内のお湯が第２位置ｈ２になるまで続く。
【００３２】
タンク上部材４１とタンク下部材４２との一体後、貯湯タンク４０は、前記庇部２５の上方から水平な載置面２５ａに形成される取付開口２５ｂにタンク下部材４２の下端部が嵌合する形態で挿入され、図示しないビスにより庇部２５の載置面２５ａに取り付けられる。タンク下部材４２の外周には散水部材５５が嵌入するが、載置面２５ａの取付開口２５ｂの内径は、散水部材５５の外径より大きくされ、更に取付開口２５ｂの内周面には、図３に示すように３個の略同形の円弧状切欠５２が略等間隔に開口している。
【００３３】
符号５５は散水部材である。この散水部材５５は、上方開放の容器状の本体部材５６と切替レバー５７とを有する。前記切替レバー５７は本体部材５６の側面に設けられる把手で、散水部材５５の取付時、図１、３に示すようにコーヒーメーカの正面に突き出る形態で取り付けられ、取付後では、図２において左右に回動自在にされ、前記切替弁５０を開放したり、閉鎖したり、或いは取り外し自在にする。
【００３４】
前記本体部材５６の底部には、複数のお湯排出用の開放孔５８を有するとともに、切替レバー５７の軸心方向上の底部上面であって、且つ底部中心部とは反対側に切替弁駆動部材である１個の凸部５９を有する。この凸部５９は、前記切替弁５０を上動し開放する部材である。また、本体部材５６の上端側部には、３個の略同形の円弧状係止片６０が略等間隔に外方に突き出る形態で設けられる。なお、この円弧状係止片６０は、載置面２５ａの取付開口２５ｂに形成される円弧状切欠５２より若干小さい相似形をしている。
【００３５】
散水部材５５の取り付けは次のように行われる。散水部材５５の３個の円弧状係止片６０を載置面２５ａの３個の円弧状切欠５２の下方に位置させる。その位置での切替レバー５７の位置は図２において「掃除」の位置になる。その後、散水部材５５を上方へ押し上げる。すると、散水部材５５の内周面は貯湯タンク４０の外周面に沿って載置面２５ａの取付開口２５ｂに嵌入するとともに、散水部材５５の３個の円弧状係止片６０は載置面２５ａの３個の円弧状切欠５２に嵌入する。散水部材５５が取付開口２５ｂに嵌入後、散水部材５５を回動すると、散水部材５５の３個の円弧状係止片６０と載置面２５ａの３個の円弧状切欠５２との上下方向の位置がずれるため、散水部材５５は載置面２５ａに支持され、載置面２５ａから外れることはなくなる。そして散水部材５５は貯湯タンク４０の下流側に位置することになる。
【００３６】
その後、切替レバー５７の位置を図２において「開」の位置に回動すると、本体部材５６の底部内面に設けられる凸部５９が切替弁５０の下方に位置することになり、凸部５９が切替弁５０を上方へ押し上げ、開口４５を開放する。すると、貯湯タンク４０内のお湯は、サイホン機構Ｓを介することなく開口４５から連続して散水部材５５上に滴下し、散水部材５５により均等に分散され開放孔５８から抽出器２１に供給される。即ち、連続ドリップが行われる。
【００３７】
その後、切替レバー５７の位置を図２において「閉」の位置に回動すると、本体部材５６の底部内面に設けられる凸部５９が切替弁５０の下方から外れることになり、切替弁５０はばね５０ｃの作用により下動し、開口４５を閉鎖する。すると、貯湯タンク４０内のお湯は、サイホン機構Ｓの第２筒状部材４４を介して間欠的に散水部材５５に滴下し、散水部材５５により均等に分散され開放孔５８から抽出器２１に供給される。即ち、間欠ドリップが行われる。なお、「開」と「閉」との切替レバー５７の位置と凸部５９の位置との関係を図３に示す。
【００３８】
その後、散水部材５５を洗浄する場合には、切替レバー５７の位置を図２において「掃除」の位置に回動すると、散水部材５５の３個の円弧状係止片６０と載置面２５ａの３個の円弧状切欠５２との上下方向の位置が合うため、散水部材５５を下方に押し下げることにより散水部材５５を取り外すことができる。散水部材５５を洗浄した後に上記と逆の順序で取り付けることになる。
【００３９】
コーヒーメーカの抽出は次のように行われる。まず、連続ドリップ式の場合は、切替レバー５７の位置を「開」にし、切替弁５０を開放する。次いで、抽出器２１内にフィルターをセットし、所定量のコーヒー粉を入れる。その状態で所定量の水Ｗを入れた水タンク２７を装着し、電源を投入する。すると水タンク２７内の水Ｗは、往路液通路２８に流れ込む。往路液通路２８に流れ込んだ水Ｗは、伝熱部３０を通過する過程でヒータ２６により加熱沸騰せしめられ、その時発生する水蒸気の圧力により押し上げられて復路液通路２９を経て該復路液通路２９先端の吐出端部２９ａから矢印１のように貯湯タンク４０に導入する。
【００４０】
貯湯タンク４０に導入するお湯は、開口４５より矢印２のように連続的に散水部材５５に導入する。散水部材５５に導入したお湯は、散水部材５５で均等に分散され、矢印３のように開放孔５８から導出され蓋体３１に形成される拡散部材３２に供給される。そして該拡散部材３２により更に細かく且つ均等に分散され、抽出器２１内に導入される。抽出器２１においては、導入されたお湯によりコーヒー液が抽出され、抽出されたコーヒー液は図示しない抽出口からサーバー２２内に流下し、苦みや酸味が間欠式より強いおいしいコーヒーとして貯留される。
【００４１】
次いで、間欠ドリップ式の場合は、切替レバー５７の位置を「閉」にし、切替弁５０を閉鎖する。次いで、抽出器２１内にフィルターをセットし、所定量のコーヒー粉を入れる。その状態で所定量の水Ｗを入れた水タンク２７を装着し、電源を投入する。すると水タンク２７内の水Ｗは、往路液通路２８に流れ込む。往路液通路２８に流れ込んだ水Ｗは、伝熱部３０を通過する過程でヒータ２６により加熱沸騰せしめられ、その時発生する水蒸気の圧力により押し上げられて復路液通路２９を経て該復路液通路２９先端の吐出端部２９ａから矢印１のように貯湯タンク４０に導入する。
【００４２】
貯湯タンク４０に導入するお湯は、上記したサイホン現象により矢印４、５、６のように第２筒状部材４４から間欠的に散水部材５５に導入する。散水部材５５に導入したお湯は、散水部材５５で均等に分散され、矢印３のように開放孔５８から導出され蓋体３１に形成される拡散部材３２に供給される。そして該拡散部材３２により更に細かく且つ均等に分散され、抽出器２１内に導入される。抽出器２１においては、導入されたお湯によりコーヒー液が抽出され、抽出されたコーヒー液は図示しない抽出口からサーバー２２内に流下し、雑味がなくコーヒー豆本来のまろやかな味のおいしいコーヒーとして貯留される。このように簡単な操作により間欠ドリップと通常の連続ドリップとを切り替えて行うことができるようになる。
【００４３】
図６に切替弁の他の実施例を示す。この例のものは、切替弁５０の弁体５０ａをバイメタル弁にしたものである。図４のものと異なる箇所を主として説明する。
【００４４】
貯湯タンク４０下面の開口４５には、切替弁７０が取り付けられる。切替弁７０は、弁頭７０ａａ及び弁棒７０ａｂからなるＴ字状の弁体７０ａとばね受７０ｂとばね７０ｃとを有する。そして弁体５０ａをタンク下部材４２の上方から挿入し、その下端部にばね受７０ｂを図示しないビスにより固定するが、固定に先立ちタンク下部材４２の底面とばね受７０ｂの上面にばね７０ｃを介在させる。そのため、タンク下部材４２に切替弁７０を取り付けた後においては、弁体５０ａはばね７０ｃにより下方へ付勢され開口４５を閉鎖状態にする。
【００４５】
そして、弁体７０ａの弁頭７０ａａは、バイメタル弁により形成され、所定温度、例えば、９５℃、９２℃或いは８８℃で上方に反るようにされる。なお、連続ドリップ式の場合、切替弁５０は開放するが、この切替弁７０の場合には図に示すように切替弁７０が上動してもお湯の温度が所定より低いと開口４５を開放せず、貯湯タンク４０に導入するお湯の温度が所定以上になると図の矢印で示すように上方に反って開口４５を開放する。そのため、所定温度より低い温度のお湯が抽出器２１に導入されることがなくなり、温度に適したよりおいしいコーヒーの抽出が可能になる。この切替弁７０は間欠式の場合であってもお湯の温度が所定以上になると上方に反るが、ばね７０ｃにより下方に押圧されているため開口４５を開放しない。この例の発明としては、切替弁を温度可変弁、即ちバイメタル弁にすることを特徴とする。
【００４６】
本願発明は、前記実施例の構成に限定されるものではなく、発明の要旨を逸脱しない範囲において適宜設計変更可能である。
【図面の簡単な説明】
【００４７】
【図１】本願発明のコーヒーメーカの全体を示す概略断面図
【図２】本願発明の散水部材の正面図
【図３】図１のＢ−Ｂ線からみた断面図
【図４】図１のＡ部拡大断面図
【図５】本願発明の散水部材の斜視図
【図６】本願発明の他の実施例の断面図
【図７】従来の連続ドリップ式コーヒーメーカの概略断面図
【図８】従来の間欠ドリップ式コーヒーメーカの概略断面図
【符号の説明】
【００４８】
Ｍ…コーヒーメーカ      Ｓ…サイホン機構
２０…機器本体          ２１…抽出器
２２…サーバー          ２２ａ…把手
２３…載置台            ２４…支柱部
２５…庇部              ２５ａ…載置面
２５ｂ…取付開口        ２６…ヒータ
２７…水タンク          ２８…往路液通路
２９…復路液通路        ２９ａ…吐出端部
３０…伝熱部            ３１…蓋体
３２…拡散部材          ４０…貯湯タンク
４１…タンク上部材      ４２…タンク下部材
４３…第１筒状部材      ４４…第２筒状部材
４５…開口              ４６…小孔
４７…Ｌ字状フランジ    ４８…係合溝
５０…切替弁            ５０ａ…弁体
５０ｂ…ばね受          ５０ｃ…ばね
５１…サイホン室        ５２…円弧状切欠
５５…散水部材          ５６…本体部材
５７…切替レバー        ５８…開放孔
５９…凸部              ６０…円弧状係止片
７０…切替弁            ７０ａ…弁体
７０ａａ…弁頭          ７０ａｂ…弁棒
７０ｂ…ばね受          ７０ｃ…ばね
【図１】
2009160288.tif 000003
【図２】
2009160288.tif 000004
【図３】
2009160288.tif 000005
【図４】
2009160288.tif 000006
【図５】
2009160288.tif 000007
【図６】
2009160288.tif 000008
【図７】
2009160288.tif 000009
【図８】
2009160288.tif 000010